(57)【要約】【課題】大量の楽曲データの中から、ユーザが聴きたい曲を、サーバー上のビッグデータを元に、簡単に選択することができる音楽再生装置および音楽再生方法を提供する。【解決手段】楽曲データベース１０２に格納された楽曲のリスト、ユーザ情報格納装置１０９に格納されたユーザ情報、再生履歴格納装置１１０に格納された再生履歴をサーバ上で蓄積、類似指向のユーザの情報を元にプレイリストを作成、プレイリスト受信装置１１４で受信した後、スキャン再生装置１０６を用いて楽曲を選択する。【選択図】図２
2015062045.tif 000002
【特許請求の範囲】
【請求項１】
楽曲を再生する音楽再生装置であって、
ユーザとのインタフェースを提供するユーザインタフェース部と、
全体を制御する制御部と、
楽曲のデジタルデータを格納する楽曲データベース部と、
楽曲データベース部を管理する楽曲管理部と、
楽曲を再生する再生部と、
楽曲のプレイリストを格納するプレイリストデータベース部と、
インターネットとを介してサーバー装置との通信を行う通信部と、
ユーザ情報を格納するユーザ情報格納部と、
楽曲の再生履歴を格納する再生履歴格納部と、
前記楽曲データベース部に格納されている楽曲リストをアップロードする曲リストアップロード部と、
前記ユーザ情報格納部に格納されているデータをアップロードするユーザ情報アップロード部と、
前記再生履歴格納部に格納されているデータをアップロードする再生履歴アップロード部と、
サーバーからのプレイリストデータを受信するプレイリスト受信部とを備える音楽再生装置。
【請求項２】
楽曲を再生する音楽再生装置から接続されるサーバー装置であって、
全体を制御する制御部と、
インターネットを介して音楽再生装置との通信を行う通信部と、
音楽再生装置からアップロードされたユーザ情報を格納するユーザ情報データベース部と、
音楽再生装置からアップロードされた楽曲リストを格納する曲リストデータベース部と、
音楽再生装置からアップロードされた再生履歴を格納する再生履歴データベース部と、
前記ユーザ情報データベース部、曲リストデータベース部、再生履歴データベース部のデータを元にユーザの指向をマッチングするユーザ指向マッチング部と、
前記ユーザ指向マッチング部がマッチングした情報を元にプレイリストを生成するプレイリスト生成部と、
前記プレイリスト生成部が生成したプレイリストを前記通信部を介して音楽再生装置に送出するプレイリスト送出部とを備えるサーバー装置。
【請求項３】
楽曲を再生する音楽再生装置であって、
ユーザとのインタフェースを提供するユーザインタフェース部と、
全体を制御する制御部と、
楽曲のデジタルデータを格納する楽曲データベース部と、
楽曲データベースを管理する楽曲管理部と、
楽曲を再生する再生部と、
楽曲のプレイリストを格納するプレイリストデータベース部と、
プレイリストの各楽曲の先頭を順次再生するスキャン再生部とを備える音楽再生装置。
【請求項４】
楽曲を再生する音楽再生手段であって、
ユーザとのインタフェースを提供するユーザインタフェースステップと、
全体を制御する制御ステップと、
楽曲のデジタルデータを格納する楽曲データベースと、
楽曲データベースを管理する楽曲管理ステップと、
楽曲を再生する再生ステップと、
楽曲のプレイリストを格納するプレイリストデータベースと、
インターネットとを介してサーバー手段との通信を行う通信ステップと、
ユーザ情報を格納するユーザ情報格納ステップと、
楽曲の再生履歴を格納する再生履歴格納ステップと、
前記楽曲データベースに格納されている楽曲リストをアップロードする曲リストアップロードステップと、
前記ユーザ情報格納ステップに格納されているデータをアップロードするユーザ情報アップロードステップと、
前記再生履歴格納ステップに格納されているデータをアップロードする再生履歴アップロードステップと、
サーバーからのプレイリストデータを受信するプレイリスト受信ステップとを備える音楽再生手段。
【請求項５】
楽曲を再生する音楽再生手段から接続されるサーバー手段であって、
全体を制御する制御ステップと、
インターネットを介して音楽再生手段との通信を行う通信ステップと、
音楽再生手段からアップロードされたユーザ情報を格納するユーザ情報データベースと、
音楽再生手段からアップロードされた楽曲リストを格納する曲リストデータベースと、
音楽再生手段からアップロードされた再生履歴を格納する再生履歴データベースと、
前記ユーザ情報データベース、曲リストデータベース、再生履歴データベースのデータを元にユーザの指向をマッチングするユーザ指向マッチングステップと、
前記ユーザ指向マッチングステップがマッチングした情報を元にプレイリストを生成するプレイリスト生成ステップと、
前記プレイリスト生成ステップが生成したプレイリストを前記通信ステップを介して音楽再生手段に送出するプレイリスト送出ステップとを備えるサーバー手段。
【請求項６】
楽曲を再生する音楽再生手段であって、
ユーザとのインタフェースを提供するユーザインタフェースステップと、
全体を制御する制御ステップと、
楽曲のデジタルデータを格納する楽曲データベースと、
楽曲データベースを管理する楽曲管理ステップと、
楽曲を再生する再生ステップと、
楽曲のプレイリストを格納するプレイリストデータベースと、
プレイリストの各楽曲の先頭を順次再生するスキャン再生ステップとを備える音楽再生手段。
【発明の詳細な説明】
【発明の詳細な説明】
【０００１】
【技術分野】
【０００２】
本発明は携帯端末向け楽曲再生ソフトウェアに関するものである
【背景技術】
【０００３】
近年、楽曲のデジタルデータ化、ダウンロード販売の普及により、スマートフォンをはじめとする携帯端末に楽曲を格納、再生することが一般化している。
さらに、クラウドを用いた楽曲のバックアップ機能も普及し、携帯端末を新機種に更新してもこれまでに登録した楽曲を簡単に引継げるようなった。
【０００４】
このことにより、携帯端末がパーソナルなマスターデータベースとなり、ユーザが保有する楽曲全てを格納する機器となりつつある。
ユーザによる楽曲の追加と、携帯端末のメモリ性能向上を鑑みると、今後個人の携帯端末に格納させる楽曲数が増加することは簡単に推測できる。
【０００５】
ユーザが快適に利用するためには、選曲機能が重要である。
従来の選曲機能は、一般的に利用されている曲名/アルバム名/アーティスト名等の一覧表示による検索、キーワードによる検索はもちろんのこと、特許文献１の歌詞による検索、特許文献２のメロディーによる検索、特許文献３のGPS機能と連携した検索などがある。
【先行技術文献】
【特許文献】
【０００６】
【特許文献１】特開２００１−１２５５８３号公報
【特許文献２】特開２００３−１６７５７６号公報
【特許文献３】特開２００６−１３３６１８号公報
【発明の概要】
【発明が解決しようとする課題】
【０００７】
しかしながら、従来の機能、特許文献１、特許文献２では、検索に必要な入力操作が煩雑であり、１曲毎にそのような操作を行うのは現実的ではない。また、特許文献３では、入力は簡単だが、検索される楽曲が現在位置から導かれる物なので、特別な場所でない限り、適切な検索結果は期待できない。
本発明の目的は、ユーザが聴きたい楽曲の検索を簡単なインタフェースで提供するためのものである。
【課題を解決するための手段】
【０００８】
本発明では、ユーザが聴きたいであろう曲リストをシステム側で提案し、その中からユーザの簡単な操作で楽曲を選択する方法で、上記課題を解決する。
【０００９】
まず、曲リストの提案方法について説明する。曲リストは、インターネット上のビッグデータを利用し、検索ユーザと指向が近いユーザの曲リストを参考に作成する。具体的には、まずユーザの簡単なプロフィール（生年月日、性別、国籍）、端末上の楽曲のリスト、再生履歴（曲を全て聴いたか、途中で止めたかを示す再生率を含む）をクラウドサーバにアップロードする。クラウドサーバー上には、同様に世界中からアップロードされたデータがビッグデータとして格納されている。サーバーシステムは、検索ユーザプロフィール、楽曲リスト、再生履歴とビッグデータを比較し、マッチ率の高いデータを元に再生楽曲リスト候補を作成する。その後、再生楽曲リスト候補からユーザが保有していない楽曲を取り除き、再生楽曲リストを作成する。
【００１０】
次に、この再生楽曲リストをスキャン再生にて再生する。スキャン再生とは、楽曲の先頭（例：始めの７秒）を再生しながら、次の曲移動することを意味する。ユーザが、聴きたい曲と判断した場合は、再生ボタンを押すとそのまま通常の再生となる。
【発明の効果】
【００１１】
本発明により、ユーザは、「処理開始」と「再生ボタン」の押下（画面タッチ）のみで、大量の音楽の中から聴きたい曲を再生することができる。
【発明を実施するための形態】
【００１２】
以下、図面を参照しつつ本発明の実施の形態について説明する。図１は本発明の実施の形態によるネットワーク構成図である。図２は本発明の実施の形態によるモバイル端末側の構成図である。図３は本発明の実施の形態によるサーバー側構成図である。
【００１３】
まず、本発明の前提となる初期設定の手順を説明する。
ユーザはユーザインタフェース部１０５を介して、生年月日、性別、国籍を入力、その情報をユーザ情報格納部１０９に格納しておく。その際のユーザ情報格納部１０９のデータを図７に示す。
【００１４】
次に、本発明の前提となる通常の音楽再生の手順を示す。
ユーザインタフェース部１０５でユーザがプレイリストを選択する。
制御部１０１がプレイリストデータベース１０８よりプレイリストを取り出す。プレイリストデータベース１０８には、予め図６に示すようなデータが格納されている。楽曲管理部１０３を介して楽曲データベース１０２より順次楽曲データを取り出して、再生部１０４にて再生する。楽曲データベース１０２には、予め図５のようなデータが格納されている。
楽曲が終了すると、制御部１０１が楽曲管理部１０３を介して楽曲データベース１０２より次の曲を取り出し、再生部１０４にて再生する。
再生完了した曲に関して図８のような再生履歴情報を、再生履歴格納部１１０に格納する。
【００１５】
以下、図１３のフローチャートに基づき、本発明の手順を示す。
【００１６】
まず、STEP1でユーザインタフェース部１０５を介して、ユーザがクラウドマッチ再生を指示する。
【００１７】
次に、STEP2で制御部１０１が曲リストアップロード部１１１を介して、楽曲データベース１０２の曲リストを、通信部１０７を利用してを送信する。
サーバー側では、通信部２０２を介して曲リストを受け取り、制御部２０１が曲リストデータベース２０４に格納する。曲リストデータベース２０４には図１０のようなデータが格納される。
【００１８】
次に、STEP3で制御部１０１がユーザ情報アップロード部１１２を介して、ユーザ情報格納部１０９のユーザ情報を、通信部１０７を利用して送信する。
サーバー側では、通信部２０２を介してユーザ情報を受け取り、制御部２０１がユーザ情報データベース２０３に格納する。ユーザ情報データベース２０３には図９のようなデータが格納される。
【００１９】
次に、STEP4で制御部１０１が再生履歴アップロード部１１３を介して、再生履歴格納部１１０の再生履歴を、通信部１０７を利用して送信する。
サーバー側では、通信部２０２を介して再生履歴を受け取り、制御部２０１が再生履歴データベース２０５に格納する。再生履歴データベース２０５には、図１１のようなデータが格納される。
【００２０】
次に、STEP5で制御部１０１が通信部１０７を利用して、プレイリスト作成の指示を送信する。
【００２１】
次に、STEP6で、サーバー側において通信部２０２を介して指示を受け取り、制御部２０１がユーザ指向マッチング部２０６にユーザ指向の解析を指示する。
【００２２】
次に、STEP7で、ユーザ指向マッチング部２０６は、ユーザ情報データベース２０３、曲リストデータベース２０４、再生履歴データベース２０５のビッグデータを解析、ユーザの指向に合った楽曲リスト候補を作成する。
【００２３】
次に、STEP8で、プレイリスト生成部２０７が、楽曲リスト候補を曲リストデータベース２０４と比較、所有している楽曲のみで構成されたプレイリストを生成する。生成されたプレイリストの例を図１２に示す。
【００２４】
次に、STEP9で、制御部２０１はプレイリスト送出部２０８を用い、通信部２０２を介してプレイリストを送出する。
端末側では、プレイリスト受信部１１４が通信部１０７を介してプレイリストを受信し、プレイリストデータベース１０８に格納する。
【００２５】
次に、STEP10で、制御部１０１がプレイリストデータベース１０８に格納されたプレイリストを元に、スキャン再生部１０６を用いて再生する。
制御部１０１がプレイリストデータベース１０８より前述のプレイリストを取り出し、楽曲管理部１０３を介して順次楽曲データを取り出して、スキャン再生部１０６にて再生する。
スキャン再生部１０６が一定時間再生を行うと、制御部１０１が楽曲管理部１０３を介して次の曲を取り出し、スキャン再生部１０６にて再生する。
【００２６】
次に、STEP11で、ユーザが好みの曲と判断した場合、ユーザインタフェース部１０５を用い通常再生を指定すると、再生部１０４にて再生する。
スキャン再生、通常再生の再生履歴情報を、再生履歴格納部１１０に格納し、次回のプレイリスト生成時に反映される。
【産業上の利用可能性】
【００２７】
本発明は、携帯端末上で音楽を再生する音楽再生ソフトウェアにおいて、ユーザの利便性を向上させるうえで有用である。
【図面の簡単な説明】
【００２８】
【図１】本発明の実施例におけるネットワーク構成図である
【図２】本発明の実施例におけるモバイル端末側構成図である
【図３】本発明の実施例におけるサーバー側構成図である
【図４】本発明の実施例におけるユーザインタフェース部の表示例である
【図５】本発明の実施例における楽曲データベースのデータ例である
【図６】本発明の実施例におけるプレイリストのデータ例である
【図７】本発明の実施例におけるユーザ情報のデータ例である
【図８】本発明の実施例における再生履歴のデータ例である
【図９】本発明の実施例におけるサーバ上のユーザ情報データベースのデータ例である
【図１０】本発明の実施例におけるサーバ上の曲リストデータベースのデータ例である
【図１１】本発明の実施例におけるサーバ上の再生履歴データベースのデータ例である
【図１２】本発明の実施例におけるサーバ上で生成されたプレイリストのデータ例である
【図１３】本発明の実施例におけるフローチャートである
【符号の説明】
【００２９】
１  クラウドサービスサーバ
２  インターネット網
３  モバイル端末
１０１  制御部
１０２  楽曲データベース
１０３  楽曲管理部
１０４  再生部
１０５  ユーザインタフェース部
１０６  スキャン再生部
１０７  通信部
１０８  プレイリストデータベース
１０９  ユーザ情報格納部
１１０  再生履歴格納部
１１１  曲リストアップロード部
１１２  ユーザ情報アップロード部
１１３  再生履歴アップロード部
１１４  プレイリスト受信部
２０１  制御部
２０２  通信部
２０３  ユーザ情報データベース
２０４  曲リストデータベース
２０５  再生履歴データベース
２０６  ユーザ指向マッチング部
２０７  プレイリスト生成部
２０８  プレイリスト送出部
【図１】
2015062045.tif 000003
【図２】
2015062045.tif 000004
【図３】
2015062045.tif 000005
【図４】
2015062045.tif 000006
【図５】
2015062045.tif 000007
【図６】
2015062045.tif 000008
【図７】
2015062045.tif 000009
【図８】
2015062045.tif 000010
【図９】
2015062045.tif 000011
【図１０】
2015062045.tif 000012
【図１１】
2015062045.tif 000013
【図１２】
2015062045.tif 000014
【図１３】
2015062045.tif 000015